(57)【特許請求の範囲】
【請求項１】
被写体像を形成するレンズを有し、前記レンズにより形成された被写体像を画像信号に変換する撮像素子が設けられたレンズユニットと、前記レンズユニットが着脱可能に取付けられるマウント部を有し、前記レンズユニットから前記画像信号が送られる本体ユニットとによって構成され、
前記レンズユニットは、前記マウント部に接続され、前記マウント部に接続された際に前記レンズの光軸の向きが前記マウント部の法線方向に対してそれぞれ異なる複数のマウント接続部を備えていることを特徴とするカメラ。
【請求項２】
前記レンズユニットは、前記マウント部の法線方向に対して前記レンズの光軸が垂直になる第１のマウント接続部と、前記マウント部の法線方向に対して前記レンズの光軸が平行になる第２のマウント接続部とを少なくとも備えていることを特徴とする請求項１記載のカメラ。
【請求項３】
前記第１のマウント接続部が前記マウント部に接続された際には静止画を撮影する撮影動作を実行し、
前記第２のマウント接続部が前記マウント部に接続された際には動画を撮影する撮影動作を実行する撮影制御手段を備えたことを特徴とする請求項２記載のカメラ。
【請求項４】
前記本体ユニットは、前記第１のマウント接続部が前記マウント部に接続された際に前記画像信号に基づく被写体画像を表示する第１の画像表示装置と、前記第２のマウント接続部が前記マウント部に接続された際に被写体画像を表示する第２の画像表示装置とを備えていることを特徴とする請求項２又は３に記載のカメラ。
【請求項５】
前記第１の画像表示装置は、前記本体のユニットの背面部に設けられ、
前記第２の画像表示装置は、前記本体ユニットの側面部に設けられていることを特徴とする請求項４記載のカメラ。
【請求項６】
前記本体ユニットは、前記マウント部が設けられたマウントベースと、前記マウントベースに対してヒンジ部を介して回動自在に接続され、前記画像信号に基づいて画像を表示する画像表示装置が設けられた可動表示部とを備えていることを特徴とする請求項１ないし３のいずれかに記載のカメラ。
【請求項７】
前記レンズの少なくとも一部を光軸方向に移動させるためのレンズ駆動手段と、前記レンズ駆動手段によるレンズの移動量を入力するための複数の入力手段と、前記複数の入力手段のうち前記マウント部に接続されたマウント接続部に対応する入力手段からの入力を受け付けて他のマウント接続部に対応する入力手段からの入力を無効とする入力切り替え手段とを備えたことを特徴とする請求項１ないし６のいずれかに記載のカメラ。
【請求項８】
前記入力手段は、ズームレンズからなる前記レンズの変倍位置を指定する手段、前記レンズのフォーカス位置を指定する手段の少なくとも一方であることを特徴とする請求項７記載のカメラ。
【発明の詳細な説明】
【技術分野】
【０００１】
本発明は、撮像素子とレンズとを有するレンズユニットが着脱自在なカメラに関する。
【背景技術】
【０００２】
最近の家庭用デジタルカメラは、静止画撮影と動画撮影を行えるものが一般的である。デジタルカメラのボディの形状は、主要な撮影用途が静止画撮影であるか動画撮影であるかに応じて適した形状が異なり、例えば、撮影画像の解像度が高く、手振れによる画質劣化の影響が大きい静止画撮影用のデジタルカメラは、カメラ全体を両手で確実に保持できる形状にすることが好ましい。また、動画撮影用のデジタルカメラは、片手で長時間保持する場合でも疲れが少なくなるように、保持した際の重心が左右に偏らない形状であることが好ましい。
【０００３】
持ち易さを改善したカメラの従来技術としては、例えば、カメラ本体にグリップ部が着脱自在に取り付けられ、取付けられたグリップの種類に応じて、例えば静止画撮影と動画撮影のような異なる撮影動作を行うものが知られている（特許文献１参照）。また、カメラを保持しやすくするために、カメラ本体の背面部から側面部にスライドするグリップユニットが設けられたものが知られている（特許文献２参照）。
【０００４】
【特許文献１】特開平９−４３７１７号公報
【特許文献２】特開平９−４３７１８号公報
【発明の開示】
【発明が解決しようとする課題】
【０００５】
しかしながら、上記従来技術では、グリップの形状や位置を変更することで撮影機能を使い分けることはできても、グリップ部を大きくすることでカメラを持ち易くしているために製品が大型になり、持ち運びに不便であるという欠点がある。また、レンズとカメラ本体の基本的な形状は変わらず、静止画撮影時と動画撮影時の両方の場合で保持し易い形状を得ることが困難であるという欠点がある。
【０００６】
本発明は、上記問題点を考慮してなされたもので、静止画撮影と動画撮影に適した持ち易い形状で撮影をそれぞれ行えるカメラを提供することを目的とする。
【課題を解決するための手段】
【０００７】
上記目的を達成するために、本発明は、被写体像を形成するレンズを有し、前記レンズにより形成された被写体像を画像信号に変換する撮像素子が設けられたレンズユニットと、前記レンズユニットが着脱可能に取付けられるマウント部を有し、前記レンズユニットから前記画像信号が送られる本体ユニットとによって構成され、前記レンズユニットは、前記マウント部に取付けられた際に、前記マウント部の法線方向に対して前記レンズの光軸の向きがそれぞれ異なる複数のマウント接続部を備えていることを特徴とする。
【０００８】
前記レンズユニットは、前記マウント部の法線方向に対して前記レンズの光軸が垂直になる第１のマウント接続部と、前記マウント部の法線方向に対して前記レンズの光軸が平行になる第２のマウント接続部とを少なくとも備えていることを特徴とする。
【０００９】
前記第１のマウント接続部が前記マウント部に接続された際には静止画を撮影する撮影動作を実行し、前記第２のマウント接続部が前記マウント部に接続された際には動画を撮影する撮影動作を実行する撮影制御手段を備えたことを特徴とする。
【００１０】
前記本体ユニットは、前記第１のマウント接続部が前記マウント部に接続された際に前記画像信号に基づく被写体画像を表示する第１の画像表示装置と、前記第２のマウント接続部が前記マウント部に接続された際に被写体画像を表示する第２の画像表示装置とを備えていることを特徴とする。
【００１１】
前記第１の画像表示装置は、前記本体のユニットの背面部に設けられ、前記第２の画像表示装置は、前記本体ユニットの側面部に設けられていることを特徴とする。
【００１２】
前記本体ユニットは、前記マウント部が設けられたマウントベースと、前記マウントベースに対してヒンジ部を介して回動自在に接続され、前記画像信号に基づいて画像を表示する画像表示装置が設けられた可動表示部とを備えていることを特徴とする。
【００１３】
前記レンズの少なくとも一部を光軸方向に移動させるためのレンズ駆動手段と、前記レンズ駆動手段によるレンズの移動量を入力するための複数の入力手段と、前記複数の入力手段のうち前記マウント部に接続されたマウント接続部に対応する入力手段からの入力を受け付けて他のマウント接続部に対応する入力手段からの入力を無効とする入力切り替え手段とを備えたことを特徴とする。
【００１４】
前記入力手段は、ズームレンズからなる前記レンズの変倍位置を指定する手段、前記レンズのフォーカス位置を指定する手段の少なくとも一方であることを特徴とする。
【発明の効果】
【００１５】
本発明によれば、撮像素子を有するレンズユニットと、レンズユニットが取付けられるマウント部を有する本体ユニットとによって構成され、レンズユニットはレンズの光軸の向きがそれぞれ異なるように本体ユニットに取付けるための複数のマウント接続部を備えているから、例えば片手でカメラを保持する動画撮影とカメラを両手で保持する静止画撮影のような撮影用途の違い、撮影場所等の違いに応じて保持し易い形状をユーザが適宜選択できる。また、選択された形状に対応して予め決められた撮影動作を実行させることで、ユーザが撮影動作を切り替える手間をなくすことができ、使い易いカメラを実現できる。また、レンズユニットをグリップとして使用できるから、撮影用途に応じた着脱自在なグリップユニットを設ける場合に比べて大型化を防止した持ち運びに便利なカメラを実現できる。
【発明を実施するための最良の形態】
【００１６】
図１において、デジタルカメラ１０は、撮影レンズ１１が保持された円筒状の鏡筒からなるレンズユニット１２と、レンズユニット１２を取付けるためのマウント部１３を有する直方体形状の本体ユニット１４とによって構成される。レンズユニット１２は、撮影レンズ１１の後方の位置にＣＣＤイメージセンサ１５を備えている。撮影レンズ１１によりＣＣＤイメージセンサ１５の受光面には光学的な被写体像が形成され、ＣＣＤイメージセンサ１５は受光面上に形成された被写体像を画素レベルで検出し、画像信号を得る。画像信号は、レンズユニット１２が本体ユニット１４に取付けられることでレンズユニット１２から本体ユニット１４に送られる。
【００１７】
レンズユニット１２には、本体ユニット１４の前面部に設けられたマウント部１３に接続される第１マウント接続部２０と第２マウント接続部２１が設けられている。第１マウント接続部２０はレンズユニット１２の後面部に設けられ、第２マウント接続部２１はレンズユニット１２の側面部に設けられている。第１マウント接続部２０又は第２マウント接続部２１をマウント部１３にスライドさせると両者が嵌合し、レンズユニット１２が本体ユニット１４に固定される。第１マウント接続部２０をマウント部１３に接続すると、撮影レンズ１１の光軸の向きはマウント部１３の法線方向に対して平行になる。また、第２マウント接続部２１をマウント部１３に接続すると、撮影レンズ１１の光軸の向きはマウント部１３の法線方向に対して垂直になる。
【００１８】
デジタルカメラ１０は、レンズユニット１２を本体ユニット１４に取付けた際、第１マウント接続部２０と第２マウント接続部２１のどちらをマウント部１３に接続したかに応じて異なる撮影動作を実行する。例えば、第１マウント接続部２０をマウント部１３に接続すると静止画撮影を行うことができる静止画モードが実行され、第２マウント接続部２１をマウント部１３に接続すると動画撮影を行うことができる動画モードが実行される。
【００１９】
撮影レンズ１１は複数枚のレンズを有するズームレンズからなる。レンズユニット１２には、静止画モードで使用されるズームリング２２と、動画モードで使用される２つのズームボタン２３が設けられている。ズームリング２２は撮影レンズ１１の光軸を中心として回転操作される。ズームリング２２を操作すると、その回転量に比例してレンズの駆動量を調節することができ、その回転方向に対応してズームポジションをテレ側又はワイド側にそれぞれ変更することができる。２つのズームボタン２３は、それぞれのボタンを押した時間の長さに比例してレンズの駆動量を調節することができ、いずれのボタンを押したかに応じてズームポジションをテレ側又はワイド側に変更することができる。
【００２０】
本体ユニット１４の前面部には、静止画モードの実行時に被写体を照明するためのストロボ光を発光するストロボ発光部２５が設けられている。本体ユニット１４の上面部には静止画モードで使用される撮影ボタン２６と、電源のオン／オフ等を行うためのダイヤルスイッチ２７が設けられている。ダイヤルスイッチ２７は、電源オフの位置と、撮影モードで電源をオンする位置と、再生モードで電源をオンする位置の３通りの位置に操作される。撮影モードでは、レンズユニット１２を取付けた形態に応じて静止画モード又は動画モードが実行される。再生モードでは、撮影モードで記録した静止画又は動画を再生表示することができる。
【００２１】
本体ユニット１４の一方の側面部には、メモリカード３０が装着されるメモリカードスロット３１が設けられている。メモリカード３０には、静止画モード又は動画モードで撮影された画像が静止画データ又は動画データとして記憶される。本体ユニット１４の他方の側面部には、動画モードで使用される接眼モニタ３２が設けられている。
【００２２】
図２において、本体ユニット１４の背面部には、静止画モードで使用されるバックモニタ３３が設けられている。接眼モニタ３２とバックモニタ３３はともに液晶表示装置からなる。バックモニタ３３の横の位置には操作ボタン群３４が設けられている。操作ボタン群３４は撮影モードにおける各種の設定操作や再生モードにおける画像の選択操作等を行うために使用される。レンズユニット１２の後面部には、第１マウント接続部２０の右側に動画モードで使用される録画ボタン３５が設けられている。動画モードでは、例えば録画ボタン３５を押している期間に動画の記録が行われ、録画ボタン３５を離すと動画の記録が停止される。
【００２３】
図３において、レンズユニット１２には、撮影レンズ１１を保護すると同時に電源オフ時にレンズユニット１２の内部を遮光するレンズバリア４０と、被写体光量を調節する絞り装置４１が設けられている。レンズユニット１２には、レンズバリア４０を開閉するためのバリアモータ４３と、撮影レンズ１１を変倍させるためのズームモータ４４と、撮影レンズ１１のフォーカス調節のためのフォーカスモータ４５と、絞り装置４１の絞り径を変更するためのアイリスモータ４６とが設けられている。
【００２４】
レンズユニット１２は、各部品の配線が第１マウント接続部２０と第２マウント接続部２１の両方に接続されており、どちらをマウント部１３に接続しても本体ユニット１４との電気的な接続が得られるようにしている。なお、レンズユニット１２には、第１マウント接続部２０と第２マウント接続部２１のどちらがマウント部１３に接続されているかを識別するために第１識別抵抗４８と第２識別抵抗４９とが設けられている。第１識別抵抗４８は第１マウント接続部２０のみに接続され、第２識別抵抗４９は第２マウント接続部２１のみに接続されている。
【００２５】
図４において、第１マウント接続部２０と第２マウント接続部２１にはそれぞれ複数の接続端子５０が設けられ、マウント部１３には接続端子５０に対応して複数のマウント接点５１が設けられている。レンズユニット１２を本体ユニット１４に取付けた際、接続端子５０とマウント接点５１が接触し、レンズユニット１２と本体ユニット１４とが電気的に接続される。
【００２６】
図３において、本体ユニット１４には、ＣＣＤイメージセンサ１５を駆動するためのタイミングパルスを出力するタイミングパルス発生回路５５と、ＣＣＤイメージセンサ１５から出力された画像信号をデジタル変換するＡ／Ｄ変換器５６と、デジタル変換された画像信号に画質補正処理等を行う画像処理回路５７とが設けられている。タイミングパルス発生回路５５とＡ／Ｄ変換器５６はマウント部１３を介してレンズユニット１２に設けられたＣＣＤイメージセンサ１５と電気的に接続される。
【００２７】
本体ユニット１４には、マウント部１３を介してレンズユニット１２に電気的に接続される制御回路として、アイリスモータ４６を制御する露光制御回路５８と、フォーカスモータ４５を制御するフォーカス制御回路５９と、ズームモータ４４を制御するズーム制御回路６０と、バリアモータ４３を制御するバリア制御回路６１とが設けられている。
【００２８】
露光制御回路５８は、ＣＣＤイメージセンサ１５により得られた画像信号に基づいて被写体輝度を算出し、適切な被写体光量が得られるように絞り装置４１の開口径を調節する。フォーカスモータ４５は、画像信号から被写体像のコントラストを評価し、鮮鋭な像が得られる最も高いコントラストが得られるように撮影レンズ１１の位置を調節する。ズーム制御回路６０は、撮影者によりズームリング２２又はズームボタン２３が操作された際、操作された方向及び操作量に応じて撮影レンズ１１を駆動し、撮影倍率を変更する。バリア制御回路６１は、電源のオン／オフに応じてレンズバリア４０を開閉する。
【００２９】
入力切り替え回路６４は、マウント部１３に第１マウント接続部２０が接続されたか、第２マウント接続部２１が接続されたかに応じてズームリング２２又はズームボタン２３の一方の操作を受け付け、他方の操作を無効にする。例えば、マウント部１３に第１マウント接続部２０が接続された場合にはズームリング２２の操作を有効にし、ズームボタン２３の操作を無効にする。また、マウント部１３に第２マウント接続部２１が接続された場合にはズームリング２２の操作を無効にし、ズームボタン２３の操作を有効にする。
【００３０】
レンズユニット検出回路６５は、本体ユニット１４にレンズユニット１２が取付けられているか否かを判別する。また、レンズユニット１２が検出された際には、第１識別抵抗４８と第２識別抵抗４９の抵抗値の違いに基づき、第１マウント接続部２０と第２マウント接続部２１のどちらが接続されているかを識別する。
【００３１】
システム制御回路６６は、デジタルカメラ１０の電気的な動作の手順を定めたプログラムが記憶されたメモリ回路と、メモリ回路に記憶されたプログラムを実行する演算回路とを備えており、撮影ボタン２６，ダイヤルスイッチ２７，録画ボタン３５等の操作に応じてレンズユニット１２及び本体ユニット１４の各部を制御する。メモリカード制御回路６７は、メモリカード３０へのデータの書き込み、メモリカード３０からのデータの読み出しを管理する。圧縮伸張回路６８は、メモリカード３０に静止画又は動画の画像データを書き込む際に画像圧縮処理を行ってデータサイズを小さくする。また、メモリカード３０から画像データを読み出す際に、画像圧縮処理がなされた画像データを伸張し、元の画像データを復元する。
【００３２】
表示切り替え回路６９は、レンズユニット１２が本体ユニット１４に取付けられた際に、第１マウント接続部２０と第２マウント接続部２１のどちらがマウント部１３に接続されたかに応じて、接眼モニタ３２とバックモニタ３３のいずれに画像を表示するかを切り替える。例えば、第１マウント接続部２０をマウント部１３に接続した場合、表示切り替え回路６９はバックモニタ３３に画像信号を出力する。また、第２マウント接続部２１をマウント部１３に接続した場合、表示切り替え回路６９は接眼モニタ３２に画像信号を出力する。なお、撮影モードと再生モードのいずれの場合でも、レンズユニット１２の取付け方によって画像が表示される表示装置が決定される。
【００３３】
次にデジタルカメラ１０の作用について説明する。図５において、デジタルカメラ１０を用いて静止画撮影を行う場合、第１マウント接続部２０をマウント部１３に接続し、レンズユニット１２を本体ユニット１４に取付ける。ダイヤルスイッチ２７を電源オフの位置から撮影モードの位置に操作する。レンズユニット検出回路６５は、第１識別抵抗４８の抵抗値から、第１マウント接続部２０を介して取付けられたレンズユニット１２を検出する。ダイヤルスイッチ２７が撮影モードにセットされた時、レンズバリア４０が開放し、ＣＣＤイメージセンサ１５が駆動する。ＣＣＤイメージセンサ１５は、受光面に到達した被写体光を光電変換し、画像信号を出力する。露光制御回路５８は画像信号に基づいて被写体輝度を算出し、絞り装置４１を駆動させる。フォーカス制御回路５９は画像信号に基づいて被写体画像のコントラスト値を算出し、撮影レンズ１１を駆動させてフォーカス調節を行う。
【００３４】
表示切り替え回路６９はバックモニタ３３に画像信号を出力し、ＣＣＤイメージセンサ１５に捉えられた被写体画像がバックモニタ３３の画面上に表示される。図６（ａ）に示すように、撮影を行う際には、右手で本体ユニット１４の右側部をグリップし、撮影ボタン２６に指を置き、左手でレンズユニット１２をグリップし、ズームリング２２に指を置く。ズームリング２２を操作するとズーム制御回路６０がズームモータ４４を駆動させ、撮影レンズ１１が変倍動作を行う。なお、この時にズームボタン２３が操作されてもその操作は無効とされ、変倍動作は行われない。
【００３５】
撮影ボタン２６が操作された際、ＣＣＤイメージセンサ１５から出力された画像信号は圧縮伸張回路６８に送られ、メモリカード３０に画像データとして記録される。ダイヤルスイッチ２７を再生モードにセットすると、メモリカード３０に記録された画像データが読み出され、圧縮伸張回路６８によって伸張処理された画像データがバックモニタ３３に再生画像として表示される。
【００３６】
デジタルカメラ１０を用いて動画を撮影する場合、第２マウント接続部２１をマウント部１３に接続し、レンズユニット１２を本体ユニット１４に取付ける。ダイヤルスイッチ２７を操作し、撮影モード又は再生モードを起動する。レンズユニット検出回路６５は、第２識別抵抗４９の抵抗値に基づき、第２マウント接続部２１を介して取付けられたレンズユニット１２を検出する。上述した静止画撮影時と同様にレンズバリア４０が開放し、ＣＣＤイメージセンサ１５が駆動する。また、ＣＣＤイメージセンサ１５の駆動により得られた画像信号に基づき、絞り装置４１による露出制御とフォーカス調節とが行われる。
【００３７】
表示切り替え回路６９は接眼モニタ３２に画像信号を出力し、被写体画像は接眼モニタ３２に表示される。図６（ｂ）に示すように、レンズユニット１２をこのように取付けると、従来のビデオカメラと同様に手の平にデジタルカメラ１０を載せて保持することができ、長時間の撮影を行う動画撮影に適している。撮影を行う際には右手でレンズユニット１２をグリップするとカメラ全体を容易に保持でき、親指を録画ボタン３５の上に置き、人指し指等をズームボタン２３の上に置くことができる。録画ボタン３５をレンズユニット１２の後面部に設けているからレンズユニット１２の側面を保持する手の親指で撮影の開始と終了の操作が行える。ズームボタン２３を操作すると、ズーム制御回路６０によってズームモータ４４が駆動し、撮影レンズ１１が変倍動作を行う。なお、この時にズームリング２２を操作しても変倍動作は行われない。
【００３８】
右手でレンズユニット１２をグリップした状態で録画ボタン３５を押下すると動画撮影が開始され、ＣＣＤイメージセンサ１５から出力された画像信号が連続したコマごとに圧縮伸張回路６８に送られ、圧縮された動画データがメモリカード３０に逐次記録される。録画ボタン３５を離すと動画撮影が中止される。なお、ダイヤルスイッチ２７を再生モードにセットすると、メモリカード３０に記録された動画データが接眼モニタ３２に再生動画として表示される。
【００３９】
このように、デジタルカメラ１０は、レンズユニット１２を本体ユニット１４に取付ける際の取付け方によって静止画モードと動画モードを選択することができ、静止画モードを選択した場合では静止画撮影に適した両手を使う持ち方が可能な形態となり、動画モードでは動画撮影に適した片手を使う持ち方が可能な形態になる。
【００４０】
次に本発明の第２実施形態について説明する。図７及び図８において、デジタルカメラ８０は、レンズユニット１２と、本体ユニット８１とによって構成される。本体ユニット８１は、その前面部にマウント部８２を有するマウントベース８３と、液晶表示装置８４を有する可動表示部８５とを備えている。マウントベース８３と可動表示部８５の間にはヒンジ部８６が設けられており、可動表示部８５はマウントベース８３に対して回動自在に設けられている。
【００４１】
本体ユニット８１は、可動表示部８５がマウントベース８３の背面に密着した折り畳み状態と、折り畳み状態から可動表示部８５が９０度開いた開放状態の２つの状態に変化する。本体ユニット８１が折り畳み状態の時、第１マウント接続部２０がマウント部８２に接続されることにより静止画の撮影が可能な静止画モードが実行される。本体ユニット８１が開放状態の時には、第２マウント接続部２１がマウント部８２に接続されることにより動画の撮影が可能な動画モードが実行される。また、本体ユニット８１にレンズユニット１２が取付けられていない時、撮影した静止画又は動画を表示する再生モードが実行される。撮影ボタン８７は、静止画を記録するために静止画モードで使用されるとともに、デジタルカメラ８０の再生モードを実行させる際にも使用される。
【００４２】
図９において、本体ユニット８１には、レンズユニット検出回路６５と、システム制御回路９０と、電源制御回路９１と、ヒンジ開閉検知センサ９２とが設けられている。ヒンジ開閉検知センサ９２は、本体ユニット８１が折り畳み状態から開放状態に変化した時に検知信号を発し、これをシステム制御回路９０に入力する。システム制御回路９０はレンズユニット１２及び本体ユニット８１の各部に制御信号を送り、デジタルカメラ８０の電気的な動作を管理する。電源制御回路９１は、デジタルカメラ８０の不使用時にシステム制御回路９０に待機電力を供給し、第１マウント接続部２０がマウント部８２に接続された時又は本体ユニット８１の開放状態がヒンジ開閉検知センサ９２により検知された時に液晶表示装置８４やレンズユニット１２に電力を供給してデジタルカメラ８０の電源をオンする。
【００４３】
次にデジタルカメラ８０の作用について説明する。デジタルカメラ８０を使用しない時は、本体ユニット８１を折り畳み状態にし、マウント部８２に第２マウント接続部２１を接続してレンズユニット１２を本体ユニット８１に取付けておく。この時の形態は、デジタルカメラ８０を持ち運ぶために適した形態となる。
【００４４】
本体ユニット８１を折り畳み状態にしたまま、レンズユニット１２を本体ユニット８１から取り外す。第１マウント接続部２０をマウント部８２に接続し、レンズユニット１２を本体ユニット８１に取付けると、レンズユニット検出回路６５により第１識別抵抗４８が検知される。システム制御回路９０は静止画モードを実行し、電源制御回路９１はレンズユニット１２と本体ユニット８１の各部に電力を供給する。
【００４５】
静止画モードでは、右手で本体ユニット８１を保持し、左手でレンズユニット１２を保持することで、デジタルカメラ８０を両手で保持することができる。本体ユニット８１は折り畳み状態であるので、デジタルカメラ８０を両手で保持すると液晶表示装置８４の画面が撮影者に対面するので、撮影範囲を容易に確認することができる。撮影ボタン８７を操作すると、静止画の撮影を行うことができる。
【００４６】
次に、本体ユニット８１を開放状態に変化させ、第２マウント接続部２１をマウント部８２に接続すると、レンズユニット検出回路６５により第２識別抵抗４９が検知され、ヒンジ開閉検知センサ９２により可動表示部８５が開いたことが検知される。システム制御回路９０は動画モードを実行し、電源制御回路９１はレンズユニット１２と本体ユニット８１の各部に電力を供給する。
【００４７】
動画モードでは、右手でレンズユニット１２を保持することで、デジタルカメラ８０を片手で保持することができる。本体ユニット８１は開放状態であるので、片手でレンズユニット１２の側面をグリップすると液晶表示装置８４の画面が撮影者に対面し、撮影範囲を容易に確認することができる。レンズユニット１２に設けられている録画ボタン３５を押すと動画の撮影が開始され、録画ボタン３５を離すと動画の撮影を停止することができる。
【００４８】
なお、撮影した静止画及び動画を再生表示する際には、レンズユニット１２を本体ユニット８１から取り外す。レンズユニット１２を取り外した状態で、撮影ボタン８７等の本体ユニット８１に設けられた特定の操作部材を操作する。システム制御回路９０はレンズユニット１２が検出されない状態で本体ユニット８１の特定の操作部材が操作されることに応答して再生モードを実行し、記録された静止画又は動画を液晶表示装置８４に再生表示する。
【００４９】
このように、デジタルカメラ８０は、レンズユニット１２の取付け方と、可動表示部８５の位置とによって、静止画モード、動画モード、再生モードを選択することができ、静止画モードを選択した場合では静止画撮影に適した両手を使う持ち方が可能な形態となり、動画モードでは動画撮影に適した片手のみを使う持ち方が可能な形態になる。
【００５０】
なお、以上の実施形態では、本体ユニットに対するレンズユニットの向きが静止画撮影用と動画撮影用の２通りに変化するが、例えば、これ以外にも撮影者が自分自身を撮影するセルフ撮影に適した形態として、撮影レンズが撮影者側を向くようにレンズユニットを取付けられるようにし、近接撮影用のフォーカス制御と、近距離用のストロボ発光制御を行うようにしてもよい。上記実施形態では、レンズユニットの取付け方に応じてズーム操作を行い易いようにズームリングとズームボタンの２通りのズーム操作手段が設けられているが、フォーカス調節を撮影者が行うマニュアルフォーカスを行えるようにした場合、同様にしてレンズユニットの取付け方に応じて操作がしやすい複数のフォーカス操作手段を設け、フォーカスレンズの駆動量を入力できるようにしてもよい。上記実施形態では、静止画と動画の画像データを半導体メモリに記憶しているが、動画データを磁気テープ又は大容量光ディスク等に記録し、静止画データを半導体メモリに記録するデジタルカメラに本発明を適用することも可能である。また、静止画と動画の記録が行えるデジタルカメラのみならず、静止画のみの記録を行うデジタルスチルカメラや動画のみの記録を行うビデオカメラに本発明を適用することができる。
【図面の簡単な説明】
【００５１】
【図１】デジタルカメラの分解斜視図である。
【図２】本体ユニットの背面側斜視図である。
【図３】デジタルカメラのブロック図である。
【図４】マウント部とマウント接続部の断面図である。
【図５】デジタルカメラの動作の流れを示すフローチャートである。
【図６】デジタルカメラを保持する際の手の位置を示す説明図である。
【図７】第２実施形態の本体ユニットの折り畳み状態を示す前面側斜視図である。
【図８】第２実施形態の本体ユニットの開放状態を示す背面側斜視図である。
【図９】第２実施形態の電気的構成を概略的に示すブロック図である。
【図１０】第２実施形態の動作の流れを示すフローチャートである。
【符号の説明】
【００５２】
１０  デジタルカメラ
１１  撮影レンズ
１２  レンズユニット
１３  マウント部
１４  本体ユニット
１５  ＣＣＤイメージセンサ
２０  第１マウント接続部
２１  第２マウント接続部
２２  ズームリング
２３  ズームボタン
３２  接眼モニタ
３３  バックモニタ
４８  第１識別抵抗
４９  第２識別抵抗
５０  接続端子
５１  マウント接点
６４  入力切り替え回路
６５  レンズユニット検出回路
６９  表示切り替え回路
８０  デジタルカメラ
８１  本体ユニット
８２  マウント部
８３  マウントベース
８４  液晶表示装置
８５  可動表示部
８６  ヒンジ部
８７  撮影ボタン
９０  システム制御回路
９１  電源制御回路
９２  ヒンジ開閉検知センサ
【図１】
0004607818.tif 000002
【図２】
0004607818.tif 000003
【図３】
0004607818.tif 000004
【図４】
0004607818.tif 000005
【図５】
0004607818.tif 000006
【図６】
0004607818.tif 000007
【図７】
0004607818.tif 000008
【図８】
0004607818.tif 000009
【図９】
0004607818.tif 000010
【図１０】
0004607818.tif 000011